(57)【要約】 【課題】所望の心線引抜力を得ることができるとともに、伝送ロスの増加を抑制することが可能な光ファイバケーブルを提供すること。【解決手段】光ファイバ心線１２と、前記光ファイバ心線の周囲に設けた緩衝材１３と、緩衝材１３の外側に巻回した線条体１４と、線条体１４の周囲に設けたシース材１５とを備えており、線条体の巻回間隔を２５ｍｍ以上５０ｍｍ以下にする。これにより、心線引抜力は実際上１５Ｎ／１０ｍ以上、伝送ロスを波長１．３１μｍにおいて０．３５０未満、波長１．５５μｍにおいて０．２８未満に抑制することができる。【選択図】図１
2007199398.tif 000002
【特許請求の範囲】
【請求項１】
光ファイバ心線と、
前記光ファイバ心線の周囲に設けた緩衝材と、
前記緩衝材の外側に巻回した線条体と、
前記線条体の周囲に設けたシース材と、を備え、前記線条体の巻回間隔が２５ｍｍ以上５０ｍｍ以下であることを特徴とする光ファイバケーブル。
【請求項２】
請求項１記載の光ファイバケーブルにおいて、前記線条体の巻回間隔が２８ｍｍ以上３２ｍｍ以下であることを特徴とする光ファイバケーブル。
【発明の詳細な説明】
【技術分野】
【０００１】
本発明は、光ファイバケーブルに関する。特にセンターチューブ型ケーブルあるいはスロットレス型ケーブルと呼ばれる光ファイバケーブルに関する。
【背景技術】
【０００２】
光ファイバケーブルにおいては、積層された複数の多芯テープ心線により構成された光ファイバ心線の周りに緩衝材が設けられた後に、この緩衝材の周囲に補強材が巻回され、さらにシース樹脂によりシース（外被）が施された構造を有する光ファイバケーブルが知られている。このような光ファイバケーブルはときにセンターチューブ型ケーブルあるいはスロットレス型ケーブルと呼ばれることがある。
【０００３】
このような光ファイバケーブルにおいては、フィールドにおける光ファイバ心線移動を抑制する必要がある。この心線移動の抑制力の判断基準としては、ケーブルから光ファイバ心線を引き抜くために要する力である「心線引抜力」を用いることが、従来より提案されている（例えば、特許文献１参照）。
【特許文献１】特開２００４−０２０６０６号公報
【発明の開示】
【発明が解決しようとする課題】
【０００４】
心線引抜力は、従来、緩衝材の周囲に巻回される例えばナイロンバラ糸等の線条体の巻張力の影響が強いと考えられており、必要な心線引抜力を得るために高張力で線条体を緩衝材の外側に巻回するようにしていた。しかしながら、線条体の張力を高くすると、光ファイバ心線のひずみ（マイクロベンディングなど）に起因する伝送ロスも高くなり、伝送距離を長くした場合等には、実用上問題が生じる可能性があった。
【０００５】
一方、本発明者は鋭意検討の結果、心線引抜力が大きい場合、伝送ロスが増加すること及び心線引抜力と伝送ロスが線条体の巻張力よりも巻回間隔の影響を強く受けることを見出した。
【０００６】
そこで、本発明の目的は、所望の心線引抜力を得ることができるとともに、伝送ロスの増加を抑制することが可能な光ファイバケーブルを提供することにある。
【課題を解決するための手段】
【０００７】
上記課題を解決するため、請求項１記載の光ファイバケーブルは、光ファイバ心線と、前記光ファイバ心線の周囲に設けた緩衝材と、前記緩衝材の外側に巻回した線条体と、前記線条体の周囲に設けたシース材と、を備え、前記線条体の巻回間隔が２５ｍｍ以上５０ｍｍ以下であることを特徴とする。
【０００８】
請求項２記載の光ファイバケーブルは、請求項１に記載の光ファイバケーブルにおいて、前記線条体の巻回間隔が２８ｍｍ以上３２ｍｍ以下であることを特徴とする。
【発明の効果】
【０００９】
請求項１記載の光ファイバケーブルによれば、線条体の巻回間隔を適切に設定することで、心線引抜力、伝送ロスともに好適な値にすることができる。請求項２に記載の光ファイバケーブルによれば、線条体の巻回間隔をより適切に設定することで、心線引抜力、伝送ロスともにより好適な値にすることができる。
【発明を実施するための最良の形態】
【００１０】
次に本発明の好適な実施の形態について図面を参照して説明する。
図１は、実施形態の光ファイバケーブルの断面図である。
光ファイバケーブル１０は、いわゆるスロットレスケーブルとして構成されており、４芯光ファイバテープ心線１１を６本積層した光ファイバ心線１２と、この光ファイバ心線１２の周りに設けた緩衝材１３と、緩衝材１３の周囲に巻回された線条体１４と、シース樹脂により構成されたシース材１５と、を備えている。
ここで、シース材１５内には、光ファイバケーブルの強度を向上するための抗張力体１６と、光ファイバ心線１２の被覆除去時にシース材１５を引き裂くための引裂き部材１７と、が備えられている。
【００１１】
ここで、各部材の具体的構成例を説明する。
緩衝材１３としては、実施形態においては、８３３３dtexのＰＰ［polypropylene］ヤーンを８本用いているが、アラミド繊維などの繊維を用いるようにすることも可能である。
線条体１４としては、実施形態においては、２３０dtexあるいは２１０dtexのナイロンバラ糸を６本を１組とし、３組用いているが、ナイロン糸の他、ＰＰヤーン、アラミド繊維などの繊維糸を用いることも可能である。
シース材１５としては、例えば、ＰＥ（polyethylene）樹脂を用いる。
抗張力体１６としては、例えば、接着剤被覆付きのφ１．０ｍｍ亜鉛メッキ鋼線を用いている。
引裂き部材１７としては、例えば、２８０dtexのポリエステル撚糸を３本撚り合わせ、さらにその撚り合わせたものを３本撚り合せたものを用いている。
【００１２】
次に、実施形態の光ファイバケーブルの特性について説明する。
上記形態の光ファイバケーブルを線条体の巻回間隔を変えて１０種類試作し、更に各巻回間隔について緩衝材の構成を３種類ずつ用意した（試作番号１−Ａ〜１０−Ｃ）、緩衝材の構成としては、Ａ：ＰＰヤーンの繊度７２２２dtex、Ｂ：ＰＰヤーンの繊度８３３３dtex、Ｃ：ＰＰヤーンの繊度９４４４dtexとした。これらの試作品の心線引抜力及び伝送ロスを評価した結果を表１に示し、さらに表１のデータを基にして、図２に巻回間隔と心線引抜力の関係、図３に巻回間隔と波長１．３１μｍにおける伝送ロスの関係、図４に巻回間隔と１．５５μｍにおける伝送ロスの関係を表すグラフを示す。
【００１３】
【表１】
2007199398.tif 000003
【００１４】
また、線条体の巻回間隔、緩衝材の構成を上記の試作番号４−Ｂと同一にし、線条体の巻張力を変えて１０種類試作した（試作番号４−Ｂ−１〜４−Ｂ−１０）線条体の巻張力と心線引抜力及び伝送ロスとの関係を表２に示し、さらに表２に示すデータを基にして、図５に巻張力と心線引抜力の関係を表すグラフを、図６に巻張力と１．３１μｍにおける伝送ロスの関係を表すグラフを、図７に巻張力と１．５５μｍにおける伝送ロスの関係を表すグラフを示す。
【００１５】
【表２】
2007199398.tif 000004
【００１６】
上記結果から線条体の巻回間隔と心線引抜力、伝送ロス（特に波長１．５５μｍの場合に顕著）とは、強い相関があることが分かる。また、緩衝材の構成については、若干dtex値が大きい場合に心線引抜力が増加する傾向が認められるが、増加率は小さくバラツキの範囲として無視できる程度である。さらに、線条体の巻張力と心線引抜力とは、相関が弱く、巻張力を増加させた場合に心線引抜力も増加する傾向が読めなくもないが、増加率は小さくバラツキの範囲として無視できる程度であることがわかる。
【００１７】
また、巻張力と伝送ロスにも若干の相関が認められるが、現実的に採用可能な巻張力の範囲は限定されるので巻張力により伝送ロスを低減させようとしても限界があることがわかる。ここで、心線引抜力は実際上１５Ｎ／１０ｍ以上あれば問題となることが少ない。また、場合によっては２０Ｎ／１０ｍ以上を要求されたことがある。
【００１８】
また、伝送ロスは１．３１μｍにおいて０．３５０未満、１．５５μｍにおいて０．２８未満であれば通常は問題とならない。従って、上記結果より好適な巻回間隔は２５ｍｍ以上５０ｍｍ以下であり、２８ｍｍ以上３２ｍｍ以下の場合に、より好適であることが分かる。このように、発明者の鋭意検討の結果、巻回間隔と心線引抜力、伝送ロスの相関を見出したことにより、所望の心線引抜力を得ることができるとともに、伝送ロスの増加を抑制することが可能な光ファイバケーブルを提供することができた。
【００１９】
尚、以上の例では、いわゆる２４芯丸型ケーブルのみを用いて説明したが、本発明は図８に示すような４０芯丸型ケーブルであっても、図９（ａ）、（ｂ）に示すような支持線のないＡＮＳケーブルであっても、スロットレスケーブル全般に適用可能である。
【図面の簡単な説明】
【００２０】
【図１】本発明の実施形態にかかる光ファイバケーブルの断面図である。
【図２】線条体の巻間隔と心線引抜力との関係を示すグラフである。
【図３】線条体の巻回間隔と波長１．３１μｍにおける伝送ロスの関係を示すグラフである。
【図４】線条体の巻回間隔と波長１．５５μｍにおける伝送ロスの関係を示すグラフである。
【図５】表１の測定に使用した巻回間隔を３０ｍｍの試作品において、巻張力を変化させた場合における巻張力と心線引抜力との関係を示すグラフである。
【図６】同様の試作品における巻張力と、波長１．３１μｍにおける伝送ロスの関係を示すグラフである。
【図７】同様の試作品における巻張力と、波長１．５５μｍにおける伝送ロスの関係を示すグラフである。
【図８】本発明を適用可能な他の光ファイバケーブルの例を示す断面図である。
【図９】本発明を適用可能なさらに他の光ファイバケーブルの例を示す断面図である。
【符号の説明】
【００２１】
１０…光ファイバケーブル
１１…４芯光ファイバテープ心線
１２…光ファイバ心線
１３…緩衝材（バッファ）
１４…線条体
１５…シース材
１６…抗張力体
１７…引裂き部材
【図１】
2007199398.tif 000005
【図２】
2007199398.tif 000006
【図３】
2007199398.tif 000007
【図４】
2007199398.tif 000008
【図５】
2007199398.tif 000009
【図６】
2007199398.tif 000010
【図７】
2007199398.tif 000011
【図８】
2007199398.tif 000012
【図９】
2007199398.tif 000013